(57)【要約】      （修正有）【課題】スタンプ類を収納箱に保管したときに、刻印面に残留するインクや朱肉が内壁面に付着するのを防止できる収納箱を提供する。【解決手段】箱体１の内側にスタンプ類を保持するホルダー５を取付け、スタンプ類の外形に合わせた空洞部６をホルダーに設けるとともに、空洞部に嵌入したスタンプ類の刻印面に対向する空洞部壁面とスタンプ面との間に隙間を設け、かつ刻印面の周囲の空洞部側面と空洞部底面とに溝部を設ける。【選択図】図１
0003153056.tif 000002
【実用新案登録請求の範囲】
【請求項１】
スタンプ類を収納する収納箱であって、箱体の内側に前記スタンプ類を保持するホルダーを取付け、前記スタンプ類の外形に合わせた空洞部を前記ホルダーに設けるとともに、前記空洞部に嵌入した前記スタンプ類の刻印面に対向する空洞部壁面と前記刻印面との間に隙間を設け、かつ前記刻印面の周囲の空洞部側面と空洞部底面とに溝部を設けることを特徴とするスタンプ類の収納箱。
【請求項２】
前記ホルダーを着脱可能に取付けることを特徴とする請求項１に記載のスタンプ類の収納箱。
【考案の詳細な説明】
【技術分野】
【０００１】
本考案は、スタンプや印鑑を収納する収納箱に関するものである。ここでは、スタンプや印鑑を総称してスタンプ類と記す。
【背景技術】
【０００２】
一般に各種団体や会社等の事務を取扱う部署において、多数のスタンプ類（すなわちスタンプ，印鑑）が使用される。それらのスタンプ類の中には、団体名，会社名，代表者名等が刻印された使用頻度の高いスタンプや、銀行印，実印等の極めて重要な印鑑が含まれる。そこで事務の担当者は、スタンプ類を収納する専用の箱（以下、収納箱という）を用いて、スタンプ類を保管している。
【０００３】
このような状況を鑑みて、スタンプ類の収納箱が種々提案されている（たとえば特許文献１，２参照）。これらの収納箱にスタンプ類を収納すると、いずれもスタンプ類の刻印を施した面（以下、刻印面という）が収納箱の内面と接触するので、刻印面に残留したインクや朱肉が収納箱の内面に付着する。通常、事務の担当者は、スタンプ類を使用した後、刻印面のインクや朱肉を拭取って収納箱に保管するが、完全に拭取ることは困難であるから、収納箱の内面にインクや朱肉が付着するのは避けられない。そして収納箱を長期間にわたって使用するうちに、収納箱の内面に付着したインクや朱肉が転写されてスタンプ類が汚れるので、スタンプ類を使用する上で支障を来たす。
【先行技術文献】
【特許文献】
【０００４】
【特許文献１】特開2005-47144号公報
【特許文献２】特開2005-199472号公報
【考案の概要】
【考案が解決しようとする課題】
【０００５】
本考案は、スタンプ類を収納箱に収納したときに、刻印面に残留するインクや朱肉がホルダーに付着するのを防止できる収納箱を提供することを目的とする。
【課題を解決するための手段】
【０００６】
本考案は、スタンプ類を収納する収納箱であって、箱体の内側にスタンプ類を保持するホルダーを取付け、スタンプ類の外形に合わせた空洞部をホルダーに設けるとともに、空洞部に嵌入したスタンプ類の刻印面に対向する空洞部壁面と刻印面との間に隙間を設け、かつ刻印面の周囲の空洞部側面と空洞部底面とに溝部を設けるスタンプ類の収納箱である。
【０００７】
本考案の収納箱においては、箱体に取付けるホルダーを着脱可能として、ホルダーを交換できるようにすることが好ましい。
【考案の効果】
【０００８】
本考案によれば、スタンプ類を収納箱に収納したときに、刻印面に残留するインクや朱肉がホルダーに付着するのを防止できる。その結果、長期間にわたって収納箱を使用してもインクや朱肉がホルダーに付着しないので、スタンプ類の刻印面以外の部位にインクや朱肉が転写されず、収納箱に収納したスタンプ類を支障なく使用できる。
【図面の簡単な説明】
【０００９】
【図１】本考案の収納箱の例を模式的に示す斜視図である。
【図２】(a)は本考案の収納箱にてホルダーの空洞部にスタンプを嵌入した例を模式的に示す平面図であり、(b)はＡ−Ａ矢視の断面図である。
【図３】(a)は本考案の収納箱にてホルダーの空洞部に印鑑を嵌入した例を模式的に示す平面図であり、(b)は空洞部の形状の例を模式的に示す平面図である。
【考案を実施するための形態】
【００１０】
図１は本考案の収納箱の例を模式的に示す斜視図である。本考案の収納箱は、スタンプ類を収納する箱体１と、その上面に配設される蓋体２を有する。箱体１の大きさは特に限定せず、収納するスタンプ類の個数や寸法に応じて適宜設定する。たとえば、箱体１にスタンプや印鑑を単独で収納する、あるいは複数個を収納する等の用途に応じた収納箱を使用すれば良い。また、スタンプと印鑑を混在させて収納することも可能である。つまり本考案の収納箱は、少数のスタンプ類を収納する小型の携帯用として好適な収納箱や、多数のスタンプ類を収納する大型の据置き用として好適な収納箱等のように様々な用途に適用できる。
【００１１】
蓋体２は箱体１の上面に配設されるので、蓋体２の大きさは箱体１の大きさに応じて設定される。また蓋体２は開閉可能に配設されるので、通常は蓋体２を閉じて箱体１内にゴミや埃が侵入するのを防止し、スタンプ類を使用するときに蓋体２を開いてスタンプ類を取出すことができる。蓋体２を開閉する構成は特に限定せず、蝶番や蛇腹，引き戸等の従来から知られている様々な機構が使用できる。さらに、スタンプ類の紛失を防止するために箱体１と蓋体２を施錠するように構成することも可能である。
【００１２】
また蓋体２の内側には、箱体１に収納したスタンプ類が移動するのを防止するために、ストッパー９を取付けることが好ましい。つまりストッパー９は、蓋体２を閉じたときにスタンプ類が移動するためのものである。ストッパー９の材質は、弾力性，伸縮性と強度を併せ持つ素材（たとえば強化スポンジゴム等）が好ましい。
箱体１の内側にはスタンプ類（すなわちスタンプや印鑑）を支持するためのホルダー５が取付けられる。ホルダー５には、スタンプ類の外形に合わせた空洞部６を設ける。ホルダー５の材質は、弾力性，伸縮性と強度を併せ持つ素材（たとえば強化スポンジゴム等）が好ましい。
【００１３】
図２(a)は、本考案の収納箱にてホルダー５の空洞部６にスタンプ3aを嵌入した例を模式的に示す平面図である。図２(b)は、Ａ−Ａ矢視の断面図である。空洞部６はスタンプ3aの外形に合わせて設けられるので、柄の凹凸の形状も空洞部６に形成される。したがって、スタンプ3aを空洞部６に嵌入すれば、スタンプ3aは一定の位置に保持される。空洞部６に嵌入されたスタンプ3aの刻印面４と、その刻印面４に対向する空洞部壁面6aとの間に隙間を設ける。さらに刻印面４の周囲の空洞部側面と空洞部底面とに、それぞれ溝部を設ける。空洞部側面に設ける溝部を側面溝部7aとして図２(a)に示し、空洞部底面に設ける溝部を底面溝部7bとして図２(b)に示す。
【００１４】
このようにして刻印面４と空洞部壁面6aとの間に隙間を設け、かつ刻印面４の周囲の空洞部側面と空洞部底面にそれぞれ側面溝部7aと底面溝部7bを設けることによって、刻印面４に残留するインクや朱肉がホルダー５に付着するのを防止できる。
図３(a)は、本考案の収納箱にてホルダー５の空洞部６に印鑑3bを嵌入した例を模式的に示す平面図である。図３(b)は、空洞部の形状の例を模式的に示す平面図である。空洞部６に印鑑3bを嵌入する場合も、スタンプ3aと同様に、空洞部６に嵌入された印鑑3bの刻印面４と、その刻印面４に対向する空洞部壁面6aとの間に隙間を設け、さらに刻印面４の周囲の空洞部側面と空洞部底面とに、それぞれ溝部を設ける。空洞部側面に設ける溝部を側面溝部7aとして図３(a)に示した。空洞部底面に設ける溝部（すなわち底面溝部7b）は図示を省略する。
【００１５】
印鑑3bは、通常、スタンプ3aの柄のような凹凸を有しておらず、円柱形状あるいは四角柱形状のものが多い。そこで、図３(b)に示すように、空洞部側面に押圧突起８を設けることが好ましい。図３(b)に示す例では印鑑3bを空洞部６に嵌入すると、押圧突起８が印鑑3bを両側から押圧することによって、印鑑3bは一定の位置に保持される。
このようにして刻印面４と空洞部壁面6aとの間に隙間を設け、かつ刻印面４の周囲の空洞部側面と空洞部底面にそれぞれ側面溝部7aと底面溝部7bを設けることによって、刻印面４に残留するインクや朱肉がホルダー５に付着するのを防止できる。
【００１６】
図３(b)には２個の押圧突起８を設ける例を示したが、押圧突起８の数は特に限定しない。嵌合する印鑑3bの大きさや重さに応じて、適宜設定する。
ホルダー５は、着脱可能に箱体１に取付けることが好ましい。使用するスタンプ類を更新あるいは変更することによってその形状が変化する場合にも、ホルダー５を交換できるように構成すれば、収納箱（すなわち箱体１，蓋体２）を継続して使用できる。
【実施例】
【００１７】
図１に示すように、スタンプ類を収納する箱体１と、その上面に開閉可能に配設される蓋体２を有する収納箱を作製した。箱体１の内側にスタンプ類を保持するためのホルダー５を取付け、そのホルダー５にはスタンプ類の外形に合わせた空洞部６を設けた。蓋体２の内側にはストッパー９を取付けた。ホルダー５とストッパー９の材質は強化スポンジゴムを採用した。
【００１８】
このようにして収納箱にスタンプ3aを１個，印鑑3bを１個収納した。その収納箱は小型であるから外出時に携帯し、必要に応じてスタンプ類を収納箱から取出し、使用した後は再び収納箱に戻した。その際、ホルダー５に保持されたスタンプ類3a，3bの出し入れを容易に行なうことができた。また、収納箱を長期間にわたって使用しても、ホルダー５にインクや朱肉が付着しなかった。そのため、スタンプ類がインクや朱肉で汚れることもなく、収納箱のみならずスタンプ類を使用する上で支障はなかった。
【産業上の利用可能性】
【００１９】
スタンプ類を収納箱に保管したときに、刻印面に残留するインクや朱肉がホルダーに付着するのを防止できるので、収納箱のみならずスタンプ類を使用する上で格段の効果を奏する。
【符号の説明】
【００２０】
１  箱体
２  蓋体
3a  スタンプ
3b  印鑑
４  刻印面
５  ホルダー
６  空洞部
6a  刻印面に対向する空洞部壁面
7a  側面溝部
7b  底面溝部
８  押圧突起
９  ストッパー
【図１】
0003153056.tif 000003
【図２】
0003153056.tif 000004
【図３】
0003153056.tif 000005